(57)【要約】【課題】階層化された複数宛先をもつ宛先ラベルの下位宛先の識別性を改善して、仕分け作業時のミス発生を減らすとともに、能率の向上を図ることにある。【解決手段】宛先ラベルの中の下位宛先の宛先表示領域に、宛先により異なる色を印刷するようにした宛先別の色分け表示部を設けることにより、識別性を改善した。品名表示領域１２と一次宛先表示領域１４、二次宛先表示領域１６には、それぞれ、従来と同様に文字による品名、一次宛先、二次宛先の印刷が行なわれ、さらに色分け表示部１８に対して、二次宛先別の色が印刷される。【選択図】　　図１
2004102177.tif 000002
【特許請求の範囲】
【請求項１】
複数次に階層化された複数宛先のそれぞれを表示するための複数の宛先表示領域を備えた宛先ラベルであって、少なくとも一つの下位階層の宛先表示領域に宛先別の色分け表示部を有することを特徴とする宛先ラベル。
【請求項２】
宛先表示領域の宛先別の色分け表示部は、宛先表示領域の一部あるいは全部の領域の地色を用いるものであることを特徴とする請求項１に記載の宛先ラベル。
【請求項３】
宛先表示領域の宛先別の色分け表示部は、宛先表示領域の文字の背景部の色を用いるものであることを特徴とする請求項１に記載の宛先ラベル。
【請求項４】
宛先表示領域の宛先別の色分け表示部は、宛先表示領域に印刷された文字の色を用いるものであることを特徴とする請求項１ないし請求項３のいずれかに記載の宛先ラベル。
【請求項５】
複数次に階層化された複数宛先のそれぞれを表示するための複数の宛先表示領域を備えた宛先ラベルを作成する宛先ラベル作成処理装置であって、ラベルの少なくとも一つの下位階層の宛先表示領域に宛先別の色分け表示部を設けて宛先別に色分け印刷する手段を備えていることを特徴とする宛先ラベル作成処理装置。
【請求項６】
宛先表示領域の宛先別の色分け表示部は、宛先表示領域の一部あるいは全部の領域の地色を用いるものであることを特徴とする請求項５に記載の宛先ラベル作成処理装置。
【請求項７】
宛先表示領域の宛先別の色分け表示部は、宛先表示領域の文字の背景部の色を用いるものであることを特徴とする請求項５に記載の宛先ラベル作成処理装置。
【請求項８】
宛先表示領域の宛先別の色分け表示部は、宛先表示領域に印刷された文字の色を用いるものであることを特徴とする請求項５ないし請求項７のいずれかに記載の宛先ラベル作成処理装置。
【発明の詳細な説明】
【０００１】
【発明の属する技術分野】
本発明は、物品の配送において、配送先が複数段階で中継されるような階層化された宛先をもつ場合に有用な宛先ラベルおよび宛先ラベル作成処理装置に関する。なお本明細書において、「ラベル」なる用語は、タグおよび荷札を包含する広い概念で用いられる。
【０００２】
【従来の技術】
一般に、建材などの物流では、商品を受注した建材メーカーが商品を配送する場合、発注元が問屋や施工業者であっても、最終的な配送先は、商品を実際に必要とする住宅の建築現場などになることが多い。このようなとき、メーカーが発送する商品は、メーカーの営業所や問屋あるいは施工業者などの中間段階のところへいったん送られ、そこで最終的な目的地へ仕分けされてから、それぞれの目的地へ配送されて行く。
【０００３】
図５は、配送元の建材メーカーＡから、一次配送先の施工業者Ｂ１、Ｂ２を経由して、二次配送先の現場Ｃ１〜Ｃ３とＣ４〜Ｃ７へ、商品を２段階で配送する階層化された配送先の例を示す。配送元の建材メーカーＡは、施工業者Ｂ１と施工業者Ｂ２から、それぞれの現場Ｃ１〜Ｃ３とＣ４〜Ｃ７を配送先として建材を受注している。
【０００４】
図６は、建材メーカーＡが受注した商品を納品する際に作成する配送リストの例であり、配送品名ごとに一次配送先と二次配送先が対応付けて登録される。図７は、配送する商品に貼付される宛先ラベルの従来例を示す。図７の（ａ），（ｂ）に示される二つの宛先ラベルは、それぞれ図６の配送リスト中の管理番号００１　と００２　のデータに基いて作成されたものである。各宛先ラベルには、品名表示領域、一次宛先表示領域、二次宛先表示領域が設けられているが、便宜上、簡略化して示されている。図８は、宛先ラベルの実際例であり、２６は品名表示、２７は一次宛先表示、２８は二次宛先表示である。しかし、図示のように実際の宛先ラベルには品名や宛先以外にも種々の情報が印刷されていて、全体としてかなり複雑な表示になっている。
【０００５】
なお、物流システムにおいて、輸送用荷物に輸送用ラベルを貼付し、宛先を識別して荷物の仕分けを行なうことは、従来公知の特許文献１に記載されており、また宛名ラベルの相手先名称を指定した色で印刷することは、特許文献２に記載されている。
【０００６】
【特許文献１】特開２０００−２５５７１５号公報
【特許文献２】特開２０００−３４１４５８号公報
【０００７】
【発明が解決しようとする課題】
図７および図８に示されるような階層化された複数宛先の表示領域をもつ従来の宛先ラベルでは、ラベル上の文字データ量が多くて錯綜しているため、中間段階の配送先で商品を次の宛先に仕分ける際に、ラベルから次の宛先情報を読み取るのにいちいち目を近づけて見なければならず、能率的でないばかりか、宛先を読み違えて商品仕分けにミスが出るおそれがあり、その結果納品遅れが生じて、取引の信頼を傷つける可能性があった。
【０００８】
本発明の課題は、階層化された複数宛先をもつ宛先ラベルにおける下位宛先の識別性を改善して、仕分け作業時のミス発生を減らすとともに、能率の向上を図ることにある。
【０００９】
【課題を解決するための手段】
本発明は、階層化された複数宛先をもつ宛先ラベルの中の下位宛先の宛先表示領域に、宛先により異なる色を印刷するようにした宛先別の色分け表示部を設けることにより、識別性を改善し、課題の解決を図るものである。
【００１０】
図１は、本発明による宛先ラベルの概要図である。図１において、１０は印刷された宛先ラベルであり、１２品名表示領域、１４は一次宛先表示領域、１６は二次宛先表示領域、１８は二次宛先別に異なる色が印刷される色分け表示部である。
【００１１】
品名表示領域１２と一次宛先表示領域１４、二次宛先表示領域１６には、それぞれ、従来と同様に文字による品名、一次宛先、二次宛先の印刷が行なわれ、さらに色分け表示部１８に対して、二次宛先別の色が印刷される。色は二次宛先別に異なる必要があるが、ラベル編集処理では、あらかじめ相互に識別が容易な色の群を選定しておき、その中から未使用の色を選択して新しい二次宛先に割付けるようにする。
【００１２】
なお、図示された宛先ラベル１０は、宛先が一次宛先と二次宛先の二階層で構成され、かつ宛先表示領域の一部に宛先別の色分け表示部１８を設ける場合のものであるが、宛先表示領域を３階層以上分設けてもよく、また色分け表示部についても、後述される実施例に示されるように、他の種々の態様が可能である。
【００１３】
本発明は、このような構成のラベルを用いることにより、一次宛先に配送された商品を二次宛先に仕分ける際の、ラベルによる二次宛先の識別が著しく容易になり、また商品を二次宛先別に仕分けた後に行なう確認チェックも、同じ仕分け先に属する商品かどうかを、比較的離れたところからでも色で的確に視認できるため、迅速に行なうことが出来る。
【００１４】
【発明の実施の形態】
図２は、図１に示す宛先ラベルを用いる場合の本発明実施例による宛先ラベル作成処理装置の基本構成図である。図中、１は宛先ラベル作成処理装置であり、２はディスプレイ、３はキーボード、４はマウス、５はカラー印刷可能なプリンタ、６は宛先ラベルの印刷データを編集するラベル編集処理部であり、本発明を実現するラベル編集処理プログラムによりコンピュータを機能化させたものである。７は配送リストデータであり、宛先ラベルを作成する元となるデータである。８は色割付管理テーブルであり、宛先ごとに異なる色を割り付ける管理に用いられる。９は印刷処理部であり、ラベル編集処理部６が作成したラベル印刷データに基き、プリンタ５に指示して宛先ラベルを印刷処理する。１０，１１はそれぞれ印刷された宛先ラベルである。１２，１３は、品名表示領域、１４，１５は一次宛先表示領域、１６，１７は二次宛先表示領域、１８，１９はそれぞれ二次宛先表示領域１６，１７の一部に設けられた色分け表示部である。
【００１５】
動作において、図示省略されている納品・出荷管理機能などが、配送すべき商品について配送リストデータ７を作成し、ラベル編集処理部６に通知する。ラベル編集処理部６は、配送リストデータ７から商品（品名）ごとに一次と二次の宛先データを取り出し、ラベル印刷データを編集する。このとき二次宛先の編集では、色割付管理テーブル８からその宛先に対する色種別を獲得し、その色を、二次宛先表示領域１６あるいは１７の色分け表示部１８，１９の地色に設定する。このようにして、配送リストデータ７のＮｏ．００１の配送データから、品名［ＸＰＰ］，一次宛先［Ｂ１］，二次宛先［Ｃ１］を取り出し、，そして色割付管理テーブル８から色種［赤］を獲得して、宛先ラベル１０の印刷データを編集して出力し、また配送リストデータ７のＮｏ．００２の配送データから、品名［ＸＱＱ］，一次宛先［Ｂ１］，二次宛先［Ｃ２］を取り出し、そして色割付管理テーブル８から色種［黄］を獲得して、宛先ラベル１１の印刷データを編集して出力する。これにより、宛先ラベル１０の色分け表示部１８には、赤の地色が印刷され、また宛先ラベル１１の色分け表示部１９には、黄の地色が印刷される。
【００１６】
図３は、図２のラベル編集処理部６が行なうラベル編集処理のフローである。図２を参照しながら図３のフローを説明する。まず、配送リストデータ７から１行目００１のデータを読出し、品名ＸＰＰ、一次宛先Ｂ１、二次宛先Ｃ１の各文字データを、ラベルの対応する表示領域に設定する印刷編集を行なう。なお、ラベル上の各表示領域を規定するフォーマットは、あらかじめ帳票定義体等によって定義されている。次に、二次宛先の色分け表示を行なうことが指定されている場合、色割付管理テーブル８を参照して、二次宛先Ｃ１に色が割付済みであるかどうかを調べる。この場合、Ｃ１には赤が割付済みであるので、色分け表示部には黄を設定する。他方、二次宛先Ｃ１には色が未割付の状態であった場合には、未使用の色をＣ１に獲得して色分け表示部に設定する。このようにして、リストの１行目のラベルの印刷編集が完了すると、リストの２行目のラベル編集を行ない、リストに未処理のデータがなくなったとき編集処理を終了し、印刷処理部９への指示により、ラベルの印刷データをプリンタ５へ出力して、宛先ラベル１０，１１を印刷させる。
【００１７】
図４の（ａ），（ｂ），（ｃ），（ｄ）は、色分け表示部の他の実施例を示す。図４の（ａ）は、二次宛先表示領域２１の領域全体の地色を色分け表示に用いる実施例であり、二次宛先文字２２はその地色に重ねて印刷される。図４の（ｂ）は、二次宛先文字２２の背景領域２３の色を色分け表示に用いる実施例であり、二次宛先文字２２はその背景色に重ねて印刷される。図４の（ｃ）は、二次宛先表示領域２１の枠２４の色を色分け表示に用いる実施例であり、枠２４は、通常よりも太く印刷される。図４の（ｄ）は、二次宛先文字２２自体の色を色分け表示に用いる実施例である。これらの色分け表示の実施例は、図１の例とともに、可能なかぎり組み合わせて用いることが出来る。たとえば、図４の（ｃ）の枠を色分けする実施例と（ｄ）の文字を色分けする実施例とは、それぞれ他のすべての色分け実施例と組み合わせてよい。その場合、複数の色分け表示部ができるが、図２の色割付管理テーブル８に割付先欄を複数設けて、それぞれの色分け表示部に対して、独立にあるいは異なる色を割付けるようにすることが出来る。　なお、上述した実施例は、２階層の宛先の場合のものであったが、本発明が、３階層あるいは４階層などの複数階層の宛先ラベルにおいて、任意の下位階層の宛先表示に対して同様に適用できることは明白である。
【００１８】
【発明の効果】
本発明により、ラベルの宛先表示には、文字情報に加えて色情報の助けがあるため、宛先識別を従来よりも容易適確に行なうことができるようになり、仕分けの作業性が一段と向上するとともに、、仕分けミスの低減を図ることが出来る。
【図面の簡単な説明】
【図１】本発明による宛先ラベルの概要図である。
【図２】本発明実施例による宛先ラベル作成処理装置の基本構成図である。
【図３】本発明実施例によるラベル編集処理のフロー図である。
【図４】色付け表示部の他の実施例の説明図である。
【図５】２段階に階層化された配送先の例の説明図である。
【図６】配送リストの例である。
【図７】宛先ラベルの従来例である。
【図８】宛先ラベルの実際例である。
【符号の説明】
１：宛先ラベル作成処理装置
２：ディスプレイ
３：キーボード
４：マウス
５：プリンタ
６：ラベル編集処理部
７：配送リストデータ
８：色割付管理テーブル
９：印刷処理部
１０，１１：宛先ラベル
１２，１３：品名表示領域
１４，１５：一次宛先表示領域
１６，１７：二次宛先表示領域
１８，１９：色分け表示部
【図１】
2004102177.tif 000003
【図２】
2004102177.tif 000004
【図３】
2004102177.tif 000005
【図４】
2004102177.tif 000006
【図５】
2004102177.tif 000007
【図６】
2004102177.tif 000008
【図７】
2004102177.tif 000009
【図８】
2004102177.tif 000010